(57)【要約】  少なくとも１つの試験エレメント（１３６）を利用して試料中の少なくとも１種の被分析物濃度を決定するための試験装置（１１０）が提案される。特にこの試験装置（１１０）はグルコース測定、特に血糖測定、コレステリン測定および／または凝固測定に使用することができる。本発明による試験装置は、閉鎖状態および開放状態を有するケース（１１２）と、ならびに少なくとも１つの試験エレメント（１３６）を収容するための保管装置（１３４）を有する。少なくとも１つの試験エレメント（１３６）がストリップ状の試験エレメント（１３６）として形成されており、保管装置（１３４）はマガジン（１３４）、好ましくは交換可能のマガジン（１３４）を有する。このマガジン（１３４）は多数のキャビティ（１３５）を有し、キャビティ（１３５）の中にストリップ状の試験エレメント（１３６）が実質的に互いに平行に収容されている。さらに少なくとも１つの測定箇所と送出装置（１４０、１６０）を備えた測定装置を設けている。送出装置（１４０、１６０）はケース（１１２）の開放時に少なくとも１つの保管装置（１３４）の保管位置から少なくとも１つの試験エレメント（１３６）を移動するための手段（１４０、１６６）を有する。
2008544266.tif 000002
【特許請求の範囲】
【請求項１】
ケース（１１２）が閉鎖状態および開放状態を有する前記ケース（１１２）と、
保管装置（１３４）が試験エレメント（１３６）用の少なくとも１つの保管位置を有する試験エレメント（１３６）を収容する前記保管装置（１３４）と、
測定装置が試験エレメント（１３６）を利用して少なくとも１種の被分析物濃度を決定するために形成されている前記測定装置と、
送出装置（１４０、１６０）がケース（１１２）の開放時に少なくとも１つの保管位置から少なくとも１つの測定箇所へ試験エレメント（１３６）を移送する手段（１４０、１６６）を有する前記送出装置（１４０、１６０）と
を備えた、試験エレメント（１３６）を利用して試料中の少なくとも１種の被分析物濃度を決定するための試験装置（１１０）であって、
試験エレメント（１３６）がストリップ状の試験エレメント（１３６）として形成されており、保管装置（１３４）がマガジン（１３４）、好ましくは交換可能のマガジン（１３４）を有し、このマガジン（１３４）が多数のキャビティ（１３５）を有し、前記キャビティ（１３５）の中にストリップ状の試験エレメント（１３６）が互いに実質的に平行に収容されていることを特徴とする試験装置。
【請求項２】
ケース（１１２）が折上可能であることを特徴とする請求項１記載の試験装置（１１０）。
【請求項３】
送出装置（１４０、１６０）が少なくとも１つの保管位置から少なくとも１つの測定箇所へ試験エレメント（１３６）を回転するための回転軸（１４０）を有することを特徴とする請求項１または２記載の試験装置（１１０）。
【請求項４】
保管装置（１３４）が空気中の湿度および汚れに対して試験エレメント（１３６）を保護するために試験エレメント（１３６）によって穿孔可能の少なくとも１つの膜（１３８）を有することを特徴とする請求項１〜３のいずれか１項に記載の試験装置（１１０）。
【請求項５】
保管装置（１３４）が付加的に空気中の湿度を低減するために少なくとも１つの乾燥手段を有することを特徴とする請求項１〜４のいずれか１項に記載の試験装置（１１０）。
【請求項６】
乾燥手段が次の要素の少なくとも１つ：保管装置（１３４）内の少なくとも１つのキャビティ（１３５）；少なくとも１つの試験エレメント（１３６）；少なくとも１つのマガジン（１３４）に取り込まれる請求項５記載の試験装置（１１０）。
【請求項７】
少なくとも１つの測定箇所が試験エレメント（１３６）の接触のための接点（１７６）を有することを特徴とする請求項１〜６のいずれか１項に記載の試験装置（１１０）。
【請求項８】
送出装置（１４０、１６０）がケース（１１２）の閉鎖時に少なくとも１つの測定箇所から保管位置へ試験エレメント（１３６）を移送するための手段（１４０、１６６）を有することを特徴とする請求項１〜７のいずれか１項に記載の試験装置（１１０）。
【請求項９】
付加的に選別装置（１８０）を有し、この選別装置（１８０）がケース（１１２）の各開放時に利用されていない試験エレメント（１３６）を選別するために形成されている請求項１〜８のいずれか１項に記載の試験装置（１１０）。
【請求項１０】
付加的に脱連結機構を有し、この脱連結機構が利用者による脱連結機構の操作時に、ケース（１１２）の開放時に少なくとも１つの保管位置から少なくとも１つの測定箇所への送出装置（１４０、１６０）による試験エレメント（１３６）の移送を阻止するために形成されている請求項１〜９のいずれか１項に記載の試験装置（１１０）。
【請求項１１】
測定装置が次の測定の少なくとも１つ：グルコース測定、特に血糖測定；コレステリン測定；凝固測定；免疫学的測定を実施するための手段を有することを特徴とする請求項１〜１０のいずれか１項に記載の試験装置（１１０）。
【請求項１２】
試料中の少なくとも１種の被分析物濃度を決定するための試験エレメント（１３６）を有するマガジン（１３４）において、マガジン（１３４）が請求項１〜１１のいずれか１項に記載の試験装置（１１０）に使用されるために形成されており、試験エレメント（１３６）がストリップ状の試験エレメント（１３６）として形成されており、送出装置（１４０、１６０）と試験エレメント（１３６）を連結する少なくとも１つの連結装置（１４４、１４６）を有し、マガジン（１３４）が多数の積層されたキャビティ（１３５）を有し、キャビティ（１３５）の中にストリップ状の試験エレメント（１３６）が互いに平行に収容されているマガジンであって
マガジン（１３４）が回転軸（１４０）を有し、連結装置（１４４；１４６）が少なくとも１つの開口部（１４４、１４６）を有し、この開口部により回転軸（１４０）が案内されることを特徴とするマガジン。
【請求項１３】
試験エレメント（１３６）が少なくとも１種の被分析物濃度の電気化学的決定のための試験エレメント（１３６）であることを特徴とする請求項１２記載のマガジン（１３４）。
【請求項１４】
試験エレメント（１３６）が塗布箇所（１５０）から測定箇所（１５４）へ液体試料を移送するための毛細管システム（１５２）を有することを特徴とする請求項１２または１３記載のマガジン（１３４）。
【発明の詳細な説明】
【技術分野】
【０００１】
本発明は、試験エレメントを用いた試料中の少なくとも１種の被分析物濃度の決定のための試験装置、特に携帯式試験装置に関する。さらに、本発明は、本発明に係る試験装置の使用中に試料中の少なくとも１種の被分析物濃度を決定するための試験エレメントに関する。この種の試験装置および試験エレメントは特に血糖濃度の測定に使用される。
【背景技術】
【０００２】
血糖濃度の監視は糖尿病患者の１日の必須構成要素である。その際に血糖濃度は必要に応じて適切な医学的措置を講ずることができるようにするため、すばやくかつ確実に１日に何度も決定される必要がある。糖尿病患者の１日のルーティンを必要以上に制限しないために、その際にしばしば簡単に搬送されかつ取り扱われるべきである適切な移動式装置が使用され、その結果、血糖濃度の測定は、たとえば職場または自由時間においても実施することができる。
【０００３】
現在、様々な測定方法にしたがって機能する種々の移動装置が市場にある。その際に種々の診断方法、たとえば光学的または電気化学的測定方法も使用されている。しばしば使用される測定方法の一例は光学的または電気化学的試験ストリップを利用する。この試験ストリップは、たとえば所定の血液量が毛細管システムを介して試験ストリップ上で電極システムへ案内されるように構成されている。最新の試験ストリップの場合は、ここで血液量約１．５μｌ、あるいは血液量１μｌ以下でも充分である。この電極システムは、たとえば被覆を施した金電極としてよい。被覆は大抵種々の酵素と、いわゆるメディエータとを含み、試料内部で電極に電荷担体（たとえばレドックス分子の形態）を形成し、該電荷担体の濃度は血糖濃度に依存する。この電荷担体の濃度は金電極と好適な測定システムとを利用して、たとえば電流電圧測定を利用して決定することができ、その結果、そこから最終的に血糖濃度を逆算できる。この種の電気化学試験ストリップの一例は米国特許第５，２８６，３６２号に示されている。
【０００４】
上記電気化学測定方法に対する別法として別の測定原理を使用することもできる。たとえば国際出願第０１／４８４６１号は試料、特に体液の検査のための光導体試験ストリップを記載し、この試験ストリップにおいては反応系が試料との反応時に検出ゾーン内の特性的な光学的に測定可能の変化を生ぜしめる。試験ストリップの中に埋め込まれた光導体を介してこの変化が評価ユニットによって評価することができる。
【０００５】
試験ストリップは、それによって携帯式診断システムの必須の要素を形成する。典型的に糖尿病患者はこの種の試験ストリップを１日あたり約５〜７必要とする。この場合、試験ストリップが清潔かつ乾燥して保管されており、対応する汚れまたは湿度の作用によって血糖濃度の測定を歪曲しないことが必須である。
【０００６】
この目的のために、試験ストリップは通常適切な容器の中に保管され、ついで利用者が測定するために試験ストリップ容器から取り出し、適切な測定装置の中に挿入される。この種の測定装置、たとえば血糖濃度を電気化学的に決定するための測定装置は当業者に知られており、たとえば米国特許第２００２／０１７０８２３号Ａ１明細書または国際特許第９６／３０７５２号に記載されている。
【０００７】
しかしながら、従来の技術から公知の測定システムにおいて、血糖濃度が個々の試験ストリップを利用して決定され（個別ストリップシステム）、測定のためにそれぞれ１つの個別試験ストリップを装置の中に入れなければならない測定システムは、実際上多数の欠点を有する。つまり、この種のシステムは利用者または患者による多数の取扱い工程が必要である。試験ストリップは適切な保管装置（たとえば試験ストリップ缶）から取り出されなければならず、手で測定装置の中に入れなければならない。つまりこの種の個別ストリップシステムのための試験ストリップは患者、特に高齢の患者または子供による安全な取扱いのために、試験ストリップが患者の指から滑り落ち、測定する場合に使えなくなることを防ぐために比較的大きく形成されなければならない。しかしながら、試験ストリップの大きさの増大は測定システムの所要スペースが上昇し、かつ対応する容器の中に収容できる試験ストリップが少なくなることにつながる。さらに、この増加した所要スペースによって測定システムの材料コストが上昇する。
【０００８】
さらに、試験ストリップの手による取扱いは試験ストリップの汚れの危険が増大する欠点に結び付く。つまり試験ストリップ容器から手による試験ストリップの取り出しは適切な測定を妨げ得る指の汗またはその他の汚れが試験ストリップに付着する可能性が生ずる。もう１つの重大な欠点は、試験ストリップ容器の各開放時に試験ストリップ容器内に残る試験ストリップに空気中の水分が付着し、その結果、後に使用する試験ストリップ容器からの試験ストリップが場合によって最初に取り出した試験ストリップと異なる性質を有することである。
【０００９】
この種の個別ストリップシステムの欠点を回避するために、内蔵型システム、特に測定装置のほかに試験ストリップ用のマガジンも内蔵されたシステムが開発された。このシステムは測定用のそれぞれ１つの試験ストリップがマガジンから測定箇所へ送り出されるように構成することができる。対応する試料、たとえば血液滴を付着させた後、直接測定が実施される。
【００１０】
この種の内蔵型システムの一例は国際特許出願公開第０２／１８９４０号Ａ２パンフレットに記載されている。国際特許出願公開第０２／１８９４０号Ａ２パンフレットは開口部を有するケースの中に収容される多数の積層されたセンサを有する流体中の被分析物濃度を測定するための試験装置を開示する。測定箇所でセンサは電気的に接触させかつ評価することができる。ケースの開口部の中に搬送要素が回転可能に収容されており、試験装置はそれぞれ１つの個別のセンサを搬送要素の凹所の中に移送するバネ要素を有する。搬送要素が回転されると、それぞれ１つのセンサが測定箇所へ移送される。
【００１１】
内蔵型システムのもう１つの例は欧州特許出願公開第１４８８７３６号Ａ１明細書に示されている。このシステムの場合、診断用の検出手段がコンテナの中に保管された試験テープの形態で使用される。このコンテナは試験テープの読み出し用の読出装置を有する。コンテナのカバーの開放時にテープの利用されない部分が測定箇所へ移送される。
【００１２】
また欧州特許出願公開第１５０７１４３号Ａ１明細書も、多数の個別的に包装された分析試験エレメントを１つの積層マガジンの中に入れる内蔵型分析システムを記載する。測定のために包装された上記試験エレメントのそれぞれ１つが塗布箇所へ移動され、包装が切断器具を用いて開けられ、かつ試験エレメントが包装から送り出される。
【００１３】
内蔵型システムは従来の個別ストリップシステムに対して重要な長所を有する。つまり測定のために必要な取扱い工程数が低減され、コスト的に好適な小さい試験エレメントを使用することができる。また湿度および汚れによる試験エレメント、特に試験ストリップの付着が著しく低減される。
【００１４】
しかしながら、従来の技術から公知の内蔵型システムは欠点もあり、特に持ち運びできる装置としての使用を妨げ、患者による受け入れを縮小する欠点を有する。重大な欠点の一つは、システムの内蔵により、装置の構造・寸法が比較的大きくなってしまうことにある。多くの内蔵型システムに対して、たとえば試験ストリップシステムの適切な輸送を可能にする比較的容積の嵩張るバネシステムが必要である。特に内蔵型システムはしばしば電気モータで駆動され、これが余分な所要スペースを生ぜしめる。それに対して電気モータで駆動されない内蔵型システムは余分な緊定装置を必要とし、これがさらに多くの場合に、特に高齢の患者または子供による取扱いを妨げる。特に電気モータ駆動装置または複雑なマニュアル駆動装置によってシステムの製造コストが大幅に増加する。電気駆動システムはさらに電気モータをもつため高価であり、かつ頻繁に交換する必要のある高性能のバッテリが必要となる欠点を有する。このバッテリは、さらに構造容積の付加的な増大を生ぜしめる。従来の技術から公知であるこの複雑に構成された内蔵型システムのもう１つの欠点は、この種のシステムが頻繁にその表面上に鋭敏な部品を有し、この部品はたとえば搬送時に装置内への水分の浸入を可能にするポケットの中で容易に機械的に損傷し、および／または該部品は汚れによってその機能性を損うことである。
【発明の開示】
【発明が解決しようとする課題】
【００１５】
本発明の課題は、従来の技術から公知の試験装置の欠点を回避する少なくとも１つの試験エレメントを利用して試料、特に液体試料中の少なくとも１種の被分析物濃度を決定する試験装置を提供することである。さらに、本発明による試験装置と共に使用できる適切な試験エレメントが提供されるべきである。
【課題を解決するための手段】
【００１６】
この課題は独立請求項の特徴を有する本発明によって解決される。本発明の有利な発展的形成は従属請求項に表示されている。全請求項の文言はここに引用することによって本明細書の内容となる。
【００１７】
試験エレメントを利用する試料中の少なくとも１種の被分析物濃度の決定のための試験装置が提案される。特に、これはグルコース測定、特に血糖測定および／またはコレステリン測定および／または凝固測定としてよい。しかしながら、択一的または付加的に別の被分析物濃度も検出することができ、または適切なその他の分析たとえばｐＨ測定または類似の化学分析または測定も実施することができる。また、たとえば免疫学的測定または類似の測定をこの試験装置を用いて実施することができる。試料は、特に液体試料たとえば血液、尿、唾液、便とする。しかしながら、その他の試料の種類、たとえばガス状の試料も考えられる。さらに被分析物濃度に代わり単に被分析物の存在または非存在を推定することもでき、これは本発明により併含されているものとする。
【００１８】
試験装置は閉鎖状態および開放状態を有するケースを有するべきである。このケースは特にケースが手で利用者によって開けられるように構成することができる。特にケースは押開可能または折上可能に形成することができる。たとえばケースは折畳軸を有する実質的に直方体の形状を有することができ、ケースはこの折畳軸に沿って折り上げることができ、その結果、ケース下部およびケース上部は折り上げた状態で互いに角度を成して、たとえば直角に立ち上がる。閉鎖状態でケース下部およびケース上部は重なり合い、それぞれ平面に沿ってケース下部およびケース上部が互いに当接する該平面が外部からもはやアクセスできなくなる。これはたとえば平面に沿ってケース下部およびケース上部が互いに当接する該平面がケースの閉鎖状態で、上記表面および上記表面の上および／または中に配設された要素（たとえばディスプレイ、操作要素、試験ストリップなど）を環境の影響たとえば空気中の湿度、汚れまたは機械的作用から保護するためにケースによって密閉されるように行うことができる。この種のシステムは従来の技術から、たとえば移動電話で知られている。しかしながら、その他の本発明に係る開放装置、たとえば移送装置も考えられる。
【００１９】
ケースを開放できるという本発明に係る特徴は、公知の発明に係るシステムに対する重要な長所である。特にケースを折り上げることができる発展的形成は、利用者にアクセス可能にするべきである鋭敏なコンポーネントを、ケースの折上状態または開放状態でのみアクセス可能であるケースの領域内に収容することを可能にする。
【００２０】
さらに試験装置は少なくとも１つの試験エレメントの収容のための保管装置を有し、この保管装置は試験エレメントに対して少なくとも１つの保管位置を有する。少なくとも１つの試験エレメントはストリップ状の試験エレメントとして形成されている。保管装置はマガジン好ましくは交換可能のマガジンを有し、このマガジンは該マガジン側で多数のキャビティを有する。キャビティの中にストリップ状の試験エレメントが実質的に互いに平行に収容されている。特に試験エレメントはそれぞれ個別的に保管装置のそれぞれ１つのキャビティの中に保管することができる。従来の技術から公知の多くの装置、たとえば国際特許出願公開第０２／１８９４０号Ａ２パンフレットから公知の装置と異なり、この保管装置の態様の場合試験エレメントの取り出し時に通常保管装置の中に残る試験エレメントが影響を及ぼさない状態にとどまることが保証される。さらにこの保管装置は、試験エレメントの乾燥したかつ清潔な保管を保証するための乾燥手段を有することができる。たとえば乾燥手段は保管装置の１つまたは複数のキャビティの中に取り込むことができる。択一的または付加的に乾燥手段は保管装置、特にマガジンのその他の中空または壁の中に取り込むこともできる。さらに択一的または付加的に試験エレメント自体が乾燥手段つまりたとえば湿度を吸収できる部分を有することもできる。
【００２１】
さらに本発明に係る試験装置は測定装置を有する。測定装置は、少なくとも１つの試験エレメントを利用して少なくとも１種の被分析物濃度を決定できるように形成されている。この種の測定装置は当業者に知られており、そのためこの箇所でそれ以上説明する必要はない。特に測定装置の形式は使用する試験エレメントの形式に依存し、該試験エレメントの可能な構成は以下より詳しく説明する。たとえば少なくとも１つの測定箇所が少なくとも１つの試験エレメントを接触させるための接点を有することができる。
【００２２】
さらに試験装置は送出装置を有する。送出装置はケースの開放時に少なくとも１つの保管位置から少なくとも１つの測定箇所へ少なくとも１つの試験エレメントの移送を可能にする手段を装備している。ここでケースの「開放」とは、特に閉鎖状態で隠れていたコンポーネント、たとえば平面に沿ってケース下部およびケース上部が互いに当接する平面ならびに上記平面上に配設された操作要素（ディスプレイ、操作ボタン、試験ストリップマガジン）へのアクセスをし得ることである。たとえば、それはケースの押開けまたは折上げとすることができる。好ましくはここで、たとえばケースの開放時に送出スロットまたは類似体が解除されることによって試験ストリップもアクセス可能になる。「コンポーネントのアクセス性」の別の形式も用語「開放」のもとに包含することができる。
【００２３】
特にケースの開放による少なくとも１つの保管位置から少なくとも１つの測定箇所への少なくとも１つの試験ストリップの移送を解除しおよび／または生ぜしめることができる。たとえばケースの開放に利用者が必要とする労力は試験エレメントの移送を遂行するために利用することができる。たとえばケースの開放時にケースにかかる力は適切な機械装置たとえばレバー装置を利用して少なくとも１つの試験エレメントに伝達することができる。
【００２４】
ここで送出装置による少なくとも１つの試験エレメントの移送が回転軸周りの試験エレメントの回転運動を含む場合、特に有利である。特に少なくとも１つの試験エレメントは長手方向延伸部、たとえば試験ストリップの縦軸を有することができ、好ましくは少なくとも１つの保管位置から少なくとも１つの測定箇所への移送時に試験エレメントの縦軸に対して垂直に回転軸周りに試験エレメントの回転が生じる。つまり送出装置はこの種の回転軸を有することができる。たとえば、この回転軸は少なくとも１つの試験エレメントを貫通することができる。
【００２５】
択一的または付加的に少なくとも１つの保管位置から少なくとも１つの測定箇所への試験エレメントの移送は別様に形成された運動たとえば並進運動によっても行うことができる。たとえばケースの開放時に試験ストリップを測定箇所へ移送することができる。運動の種類、たとえば並進回転運動の組み合わせも可能である。
【００２６】
本発明に係る試験装置は従来の技術から知られている他の内蔵型試験装置に対して多数の長所を有する。特にケースの開放機能、たとえばケースの折上げは優れた耐牢性を特徴とする携帯式試験装置を形成することを可能にする。つまりケースは、ケースの閉鎖状態で外部から単に試験装置の非鋭敏なコンポーネントがアクセス可能であるように形成することができる。たとえばケースはその外側に平滑な汚れを退ける表面を形成することができ、該表面は試験装置への汚れおよび水分の侵入を阻止する。しかしながら、択一的に個別的操作要素、たとえば個々の操作ボタンまたは表示要素をケースの外部表面上に配設することもできる。しかしながら、重要かつ特に鋭敏な試験装置の機能要素がまずケースの開放状態で近接できる場合に有利である。特に試験装置は、試験装置の操作ボタン、操作キー、表示要素およびその他の機能要素が折上状態でアクセスできるように形成することができる。
【００２７】
試験装置は、さらに試験装置を平坦に形成することができ、それによって目立たないように運ぶことができるので、高い度合の秘密保持を提供する。試験装置の利用時に電気モータを省くことができるので、不快なモータまたは歯車装置の騒音は発生しない。試験装置のシステムコストは、コストのかかる部材たとえばモータ、大型バッテリ等を省くことができるので比較的少ない。また材料コストは、特に消費材に対してより小さい試験エレメントを使用できるので比較的少ない。
【００２８】
さらに本発明に係る試験装置の構成によってハンドリング安全性が従来の技術から公知の内蔵型システムに比べ明らかに向上している。被分析物濃度たとえば血糖濃度測定の決定の準備のために、今後は単に１つの開放たとえば折上げが試験装置に必要である。搬送装置の緊定または適切なボタンによる電気モータの操作は不要になる。それによって特に、制限された運動能力を有する患者、特に高齢の患者または子供も試験装置を安全に取り扱うことができることが保証されている。
【００２９】
試験装置の本発明に係る実施態様のもう１つの重要な長所はこの種の試験装置の構造容積が公知の試験装置に比べ著しく低減できることにある。本発明に係る試験装置に対して嵩張る高価なバッテリを有する費用のかかる高価な電気モータも、複雑かつ嵩張る緊定装置または搬送装置も試験エレメントに対して不要である。特に保管位置から測定箇所へ試験エレメントを移動するために１つの試験エレメントが軸周りに回転される態様は、試験装置の省スペースの実現を可能にする。つまり全体的に本発明に係る試験装置が卓越した方法で使用するために堅牢な簡単に取扱いできる、コスト的に好適な移動式装置であり、これは制限された運動能力を有する患者に対しても容易に取扱いできることが確認される。これは、いわゆる「ホームケア思想」を促進し、健康システムのコストを低減する。
【００３０】
本発明に係る試験装置は種々の発展的形成によってさらに改善することができる。つまり特に保管装置は１つまたは複数のマガジンを有することができる。これは、たとえば交換可能のマガジンとすることができる。この種のマガジンは、たとえば患者が薬局または医療派遣業を介して購入でき、それぞれ試験装置に使用することができる。これは使い捨てマガジンまたは繰り返し使用可能のマガジンとすることができる。交換可能マガジンの中に、たとえば電子メモリまたは別の形式の情報媒体も内蔵することができ、それによって試験装置への新規マガジンの挿入時にマガジンの中に含まれる試験エレメントに関するロット仕様の情報を試験装置へ伝達できる。この種のいわゆる「ノン・エビデント・コーディング」−システム（"Non-evident-coding"-System）は従来の技術から公知である。
【００３１】
保管装置、たとえばマガジンが空気中の湿度および汚れ（封印）に対する少なくとも１つの試験エレメントを保護する穿孔可能の膜たとえばフィルムを有する場合、特に有利である。本発明のこの発展的形成は、保管装置が各試験エレメントに対して１つの独立のキャビティを有する本発明に係る発明の態様との組み合わせで特に有利である。つまり各キャビティはこの種の穿孔可能の膜によって密閉することができる。たとえば送出装置および／または少なくとも１つの試験エレメントは、少なくとも１つの保管位置から少なくとも１つの測定箇所へ少なくとも１つの試験エレメントの移送時にケースの開放時に膜が穿孔されるように形成することができる。たとえばこのために少なくとも１つの試験エレメントは鋭い角部または縁部を有し得る。特に穿孔は少なくとも１つの試験エレメントの回転運動によって行うことができ、この運動において、たとえば膜が穿孔され、かつ試験エレメントが膜を通して測定箇所へ移送できるまでのあいだ、少なくとも１つの試験エレメントの鋭い縁部が膜に対して押圧される。
【００３２】
さらに試験装置は本発明によりケースの閉鎖時に少なくとも１つの試験エレメントが再び少なくとも１つの測定箇所から少なくとも１つの保管位置へ戻って移送されるようにも引き続き形成することができる。特にこの移送は同様に、この移送のための適切な手段を有することができる送出装置によって行うことができる。たとえばこの移送は再び少なくとも１つの試験エレメントの回転とすることができる。この本発明の発展的形成は利用した試験エレメントを抽出する必要がなく、たとえば保管装置へ戻して移送され、そこで該試験エレメントが特に衛生的に保管されることを保証する。各個別の試験エレメントの別々の処分は不要である。それによって利用の秘密保持も高められる。
【００３３】
本発明は、送出装置を利用者の要望に応じて試験装置の開放から外す脱連結機構が設けられるように形成することができる。これは、たとえば歯車装置（たとえば送出と連結された歯車からのケースと連結された歯車）の簡単な脱連結によって当業者に知られている方法で行うことができる。たとえばケースは、利用者がそれを望みかつ（たとえば脱連結ボタンを押して）設定するとき、試験エレメントが送り出されることなく開けることができる。それによって利用者は、たとえば電子測定結果を試験装置のメモリから読み出すために、試験エレメントが浪費されることなく、たとえばケースを開けることができる。択一的にケースは、該ケースが試験エレメントの送出下にのみ開放できるように形成することもできる。
【００３４】
基本的に試験装置は、試験装置の開放時に個別の試験エレメントが測定箇所へ移送されるように形成することもできる。しかしながら、択一的に複数の試験エレメントも同時にこの種の測定箇所へ移送することもできる。しかしながら、好ましくは個々の試験エレメントの使用である。
【００３５】
ケースの各開放時にそれぞれ１つの新しい、すなわちそれまで利用されていない試験エレメントが使用されることを保証するために、試験装置は付加的に選別装置を有することもできる。この選別装置はケースの各開放時にそれまで利用されていない試験エレメントが選択されるように形成することができる。たとえば試験エレメントは互いに平行に一列に、たとえば個々のキャビティの中に配設することができ、選別装置はケースの各開放時に次のそれまで利用されていない試験エレメントの方向へそれぞれ１工程実行する。たとえば選別装置はここでそれぞれキャビティの位置だけ先へ移動させることができる。
【００３６】
基本的に本発明に係る試験装置は多数の試験エレメントおよび試験原理で使用することができる。この種の試験原理は当業者に従来の技術から知られている。たとえば血液または尿中のコレステリン濃度の光学的決定のために、たとえば光学的測定方法を使用することができ、これはたとえばドイツ連邦共和国特許第６９８１５２０７号Ｔ２明細書から公知である。しかしながら、択一的または付加的に電気化学試験ストリップも使用することができ、これは上述の血糖濃度測定との関連性ですでに説明されており、たとえば米国特許第５，２８６，３６２号から公知である。特にこの種の試験エレメントは、好ましくは試験ストリップとすることができる。
【００３７】
本発明に係る試験装置との関連性において、本発明により試験装置の送出装置と共働できる試験エレメントが提案される。このために本発明に係る試験エレメントは送出装置と試験エレメントを接続するための少なくとも１つの連結装置を有する。たとえばこの連結装置は送出装置の対応する凹所の中に噛み合う鉤状体とすることができる。しかしながら、本発明に係る試験エレメントが送出装置の軸を貫通する開口部を有する場合、特に有利である。この開口部は、たとえば試験エレメントの内部領域の円形または角形の開口部であってよく、またはこの開口部は試験エレメントの周縁部に配設された開口部、たとえば試験エレメント（好ましくは試験ストリップ）の周縁部の凹所とすることができる。この方法により軸を利用して試験エレメントを該軸周りに少なくとも１つの保管位置から少なくとも１つの測定箇所へ移送するために該試験エレメントを回転することができる。
【００３８】
さらに本発明に係る試験エレメントは、該試験エレメントが塗布箇所から測定箇所へ液体試料を移送するための毛細管システムを有するように形成することができる。たとえば試験エレメントは該試験エレメントがたとえば試験エレメントの中央または試験エレメントの周縁部に配設された軸を貫通する開口部を有するように形成することができる。さらに試験エレメントは対向する端部に塗布箇所および電極接点を有することができる。特に試験装置はその場合に試験エレメントが保管位置から測定箇所へケースの開放時に送出によって回転され、それによって塗布箇所が利用者に対して近接可能になり、それと同時に試験エレメントの測定電極が試験装置の接点に噛み合うように形成することができる。それによって測定箇所への試験エレメントの移送時に試験エレメントが自動的に電気的に接触される。
【００３９】
本発明に係る試験装置および本発明に係る試験エレメントは患者がたとえば次のような方法で利用することができるが、以下に説明する方法工程は必ずしも示した順序に制限されるものではない。つまり患者は試験装置を閉鎖状態で適切な輸送容器またはカバンの中に担持する。測定の実施のために、たとえば血糖濃度測定のために、患者がカバンから試験装置を取り出し、試験装置のケースを開ける。たとえばこの開放は簡単な折り上げによって行うことができ、または開放するために付加的な操作要素の操作を必要とすることもできる。たとえば試験装置は試験装置の開放のために操作する必要がある開放ボタンを有することができる。この方法により試験装置の意図しない開放を防ぐことができる。
【００４０】
試験装置の開放によって自動的に１つの試験エレメント、たとえば試験ストリップが測定箇所へ移送される。特に、たとえば試験エレメントをその際に電気的に接触させることができる。さらに、試験装置はケースの開放時に自動的に測定装置がスタートされるようにも形成することができる。この測定装置のスタートは、たとえばコンピュータ、たとえば測定装置の中に内蔵されたマイクロコンピュータの起動を含むことができる。さらに利用者に表示要素、たとえばディスプレイ上に自動的に対応するメニューを提供できる。ケースは、試験装置の閉鎖時にコンピュータが自動的に再びオフになるように形成することができる。
【００４１】
使用中に患者は適切な試料を準備している。たとえばこの試料の準備は、たとえば当業者に公知のランセットシステムを用いた血液滴の採取を含むことができる。患者はこの試料を試験エレメント上に塗布する。それに続き自動的にまたは患者によって開始され（たとえば対応する測定ボタンを押して）、試料中の被分析物濃度が決定される。被分析物濃度は、たとえば表示要素（たとえばディスプレイ）に表示されおよび／またはマイクロコンピュータのデータメモリに記憶させることができる。択一的または付加的に被分析物濃度は、たとえばデータバンクに登録することができ、対応してさらにデータ処理にかけることができる。
【００４２】
それに続き患者が試験装置のケースを再び閉じ、たとえば利用した試験エレメントを再び保管装置の中へ戻して移送する。試験装置は次に再び対応する搬送装置の中に、たとえばカバンの中にしまい込むことができる。択一的または付加的に、得たデータたとえば被分析物濃度を含むデータは別の評価装置たとえばその他のコンピュータシステムへ伝送することができ、または医師に引き続き評価してもらうために提供することができる。
【発明を実施するための最良の形態】
【００４３】
以下、本発明は実施例を利用してより詳しく説明する。しかしながら、本発明は図示した実施例に制限されていない。これらの実施例は図面に模式的に示されている。個々の図中の同じ参照番号はその際に同一または機能同一またはその機能に関して互いに対応する要素を表す。
【００４４】
図１Ａ〜１Ｃに、血糖濃度の決定のための本発明に係る試験装置１１０の第１の好ましい実施例が示されている。ここで図１Ａは閉鎖状態における試験装置１１０を示し、図１Ｂは開放中の試験装置１１０を示し、かつ図１Ｃは開放状態における試験装置１１０を示す。
【００４５】
試験装置１１０はケース下部１１４とカバー１１６（ケース上部）とを有するケース１１２を含む。ケース下部１１４およびカバー１１６はヒンジ１１８に沿って互いに連結されており、このヒンジ１１８は同時に力伝達に利用される。この力伝達はカバー１１６の開放に使用された力が同時に試験ストリップの回転のためのケース下部１１４で利用できことを保証する（以下参照）。
【００４６】
図１Ａに示した閉鎖状態においてケース１１２は閉鎖された平滑な表面を有する。カバー１１６およびケース下部１１４はここで単に狭い分離継目１２０が生じ、この分離継目を通して実質的に汚れおよび水の形態の不純物が試験装置１１０の内部へ侵入できないようにその形状で互いに適合されている。ここでケース下部１１４に上方へ向く操作段１２２が形成され、この操作段はケース１１２の開放中にたとえば手の親指で囲むことができる。この操作段１２２上に脱連結ボタン１２４が配置されている。この脱連結ボタン１２４は、脱連結ボタン１２４を押してケース１１２の折り上げが解除されることによって純粋に機械機能のみを有することができる。択一的または付加的に脱連結ボタン１２４は、たとえば脱連結ボタン１２４の操作時に測定電子回路および／またはマイクロコンピュータが試験装置１１０内でスタートすなわち開始されることによって、電気機能も有することができる。
【００４７】
ケース１１２の内部にカバー１１６の内側に操作表面１２６と、ケース下部１１４の内側に測定表面１２８とがある。操作表面１２６はディスプレイ１３０の形態の表示要素ならびに複数の操作ボタン１３２を有する。この操作ボタン１３２を介して、たとえば測定をスタートし、および／または試験装置１１０のメニュー機能を呼び出すことができる。ディスプレイ１３０上に、たとえば被分析物濃度を数値表示することができる。全体的に試験装置１１０の機能性は、たとえば市場で入手できる公知の試験装置に匹敵する。
【００４８】
ケース下部１１４内の測定表面１２８へストライカー状のマガジン１３４が挿入される。マガジン１３４は交換可能に形成されており、かつ多数のキャビティ１３５を有し、該キャビティの中に試験ストリップ１３６が互いに平行に収容されている。マガジン１３４、特にキャビティ１３５は付加的に１つの乾燥手段（図３に図示せず）を含むことができ、該乾燥手段はキャビティ１３５の中に収容された試験ストリップ１３６を空気中の湿度の影響から保護する。この種のマガジン１３４の一例は図３に示されている。各キャビティ１３５を介して膜が封止フィルム１３８の形態で取り付けられている。さらにマガジン１３４は回転軸１４０周りに個々の試験ストリップ１３６を周動回転可能に軸支された回転軸を有する。
【００４９】
試験装置１１０（図１Ｂ参照）のケース１１２の開放時に送出装置（図示せず）を利用してそれぞれ１つの試験ストリップ１３６が回転軸１４０周りに回転される。ここで付属のキャビティ１３５の封止フィルム１３８は試験ストリップ１３６の試験ストリップ縁部１４２によってこじ開けまたは穿刺される。ケース１１２（図１Ｃ参照）の完全な折上状態において試験ストリップ１３６は垂直の塗布および測定箇所にある。択一的に試料塗布および／または測定のために試験ストリップ１３６の別の整列、たとえば分離された塗布箇所および測定箇所も可能である。またケース１１２の折り上げ後次に塗布箇所への移送と、それに続き実施された試料塗布後に測定箇所へ移送され、後者はたとえばケース１１２の新たな閉鎖によって解除されることも考えられる。塗布箇所において試験ストリップ（図４Ａおよび４Ｂ参照）の塗布箇所１５０が患者に対して試料塗布のためにアクセスできることが必須である。
【００５０】
図１Ｃに示した塗布−および測定箇所は、試験装置１１０の接点（図示せず、たとえば図５Ａの参照符号１７６参照）の立てた試験ストリップ１３６が電気的に接触され、その結果、電気化学測定を実行することができる。
【００５１】
図３に示したマガジン１３４は、たとえば１０、２５、５０またはそれ以上の試験ストリップ１３６用のストライカーとして構成することができる。試験ストリップ１３６の数の制限は試験装置１１０のサイズである。５０の試験ストリップ１３４に対して約４０ｍｍのマガジン長が必要になる。図３の態様によるマガジン１３４の中に挿入可能である本発明に係る試験ストリップは、図４Ａおよび４Ｂに例として示している。図４Ａに示した好ましい実施例において試験ストリップ１３６はその中心に回転軸１４０（図３参照）の貫通用の孔１４４を有する。図４Ｂに示した試験ストリップ１３６の実施例において切欠１４６が試験ストリップ１３６の周縁部にある。孔１４４も切欠１４６も試験ストリップ１３６がマガジン１３４の回転軸１４０周りに（水平の）保管位置から（垂直の、図１Ｃ参照）測定箇所へ回転されることを可能にする。
【００５２】
図４Ａおよび図４Ｂ記載の実施例における試験ストリップ１３６は、上記説明による血糖濃度測定用の電気化学測定ストリップである。試験ストリップ１３６は長く引いた四角形として形成されており、一端部に電気接点１４８と、対向端部に血液滴の塗布用の塗布箇所１５０を有する。毛細管システム１５２を介して血液が塗布箇所１５０から試験ストリップ１３６の内部へ移送される。そこで血液が測定電極１５４と接触し、該測定電極は再び電気接点１４８に接続される（図１Ｃに示した）測定箇所で電気接点１４８は対応する試験装置１１０の接点と接続され、その結果、血糖濃度の電気化学的決定を実施することができる。
【００５３】
測定箇所（図１Ｂおよび１Ｃ参照）への試験ストリップ１３６を移送する送出装置のほかに試験装置１１０のケース１１２はさらに１つの電子評価装置を含む。この電子評価装置は電気化学測定による試験ストリップ１３６の評価に用いられる。この種の評価電子回路は当業者に公知である。この評価電子回路はさらにたとえば操作ボタン１３２を介して操作できるマイクロコンピュータを含むこともできる。マイクロコンピュータは対応する評価ルーチンを制御し、たとえばデータメモリを含むことができる。
【００５４】
図１Ａ〜１Ｃに示した試験装置１１０の実施例において、ディスプレイ１３０および操作ボタン１３２はカバー１１６の内部操作表面１２６の中に組み込まれる。上述のように、たとえばケース１１２の開放は自動的に試験装置１１０のスイッチオンを生ぜしめることができる。択一的または付加的にこの種のスイッチオンは脱連結ボタン１２４（これは「オン／オフ−ボタン」としても実現できる）によっても実行できる。試験装置１１０の使用後、つまり特に血糖濃度測定の実施後、患者がケース１１２を再びカバー１１６の折畳みによって閉鎖する。この場合、試験ストリップ１３６は自動的に再びそのキャビティ１３５の中へ復帰旋回される。択一的に試験ストリップ１３６は手動でも取り出しまたは処分することができる。ケース１１２の閉鎖時に選択的に試験装置１１０も自動的にオフにすることができ、その結果、試験装置１１０が意図せずにオンの状態にとどまることが阻止される。これは特に電力を節約する。
【００５５】
図２Ａおよび２Ｂに、図１Ａ〜１Ｃに対して別法の実施例１１０が示されており、これは類似の機能を有する。さらにケース１１２の中にマガジン１３４たとえば図３の実施態様によるマガジンが挿入されている。マガジン１３４は再びキャビティ１３５を有し、その中に電気化学試験ストリップ１３６が挿入されている。試験ストリップ１３６は再び図４Ａまたは４Ｂにおける実施例と類似に形成することができる。
【００５６】
図１Ａ〜１Ｃ記載の実施態様と異なり、図２Ａおよび２Ｂ記載の実施例はケース１１２の内部にある測定表面１２８を有するが、内部操作表面がない。それに代わり、この実施例ではディスプレイ１３０および操作ボタン１３２を有する操作表面１２６がカバー１１６の上側に取り付けられている。選択的にカバー内側１５６上にも表示要素および／または操作要素の形態で機能を収容することもできる（図示せず）。
【００５７】
図２Ａおよび２Ｂの実施例による試験装置１１０の機能は、たとえば患者がケース１１２を開け、血液滴１５８を試験ストリップ１３６上へ塗布するように形成することができる。それに続きケース１１２が再び閉鎖され、それによってたとえば自動的に測定がスタートまたは継続され、または電子測定結果が評価され、この結果が再び閉鎖されたケース１１２でディスプレイ１３０によって読み取ることができる。
【００５８】
図５Ａ〜５Ｅにおいて、模式的に試験ストリップ１３６の課題は本発明に係る送出装置１６０を利用して試験装置１１０のケース１１２の開放時に図示により、または図１Ａ〜１Ｃに示されている。図５Ａ〜５Ｅの図示は、ヒンジ１１８と平行（つまりケース１１２の長手方向軸に対して垂直）の試験装置１１０のケース下部１１４の断面図で示している。この場合ケース１１２は簡素にするために図５Ａ〜５Ｅに示していない。
【００５９】
送出装置１６０は、たとえば図３の図示にしたがってマガジン１３４と共働する。マガジン１３４の中に複数の試験ストリップ１３６があり、本実施例において図４Ａの実施例による試験ストリップ１３６が収容されている。試験ストリップ１３６は一端部に電気接点１４８、かつ対向端部に血液滴１５８の塗布用の塗布箇所１５０を有する。さらに試験ストリップ１３６はそれぞれ１つの孔１４４を有し、この孔を通して回転軸１４０が案内されている。試験装置１１０のケース下部１１４は、該試験装置が回転軸１４０の端部の支承用の収容部を有するように形成されている。この収容部は図５Ａ〜５Ｅに示していない。従って、回転軸１４０は、たとえばマガジン１３４の内蔵構成要素であり、試験装置１１０のケース１１２の中への新規マガジン１３４の挿入時に回転軸１４０の端部がそれぞれケース１１２内の対応する収容部の中に突出または挿入される。従って各試験ストリップ１３６は上記回転軸１４０周りに回転可能に軸支されている。
【００６０】
送出装置１６０を利用して試験ストリップ１３６が保管位置（図５Ａ）から測定箇所（図５Ｅ）へ移送される。ここで試験ストリップ１３６は閉鎖されたケース１１２（図１Ａの図示と比較）で図５Ａに示した保管位置にあり、それに対して試験ストリップ１３６の開放されたケース１１２（図１Ｃと比較）では図５Ｅに示した測定箇所にある。図５Ａに示した保管位置に試験ストリップ１３６がキャビティ１３５の中に収容されている。それに対して図５Ｅに示した測定箇所において試験ストリップ１３６は図５Ａ記載の保管位置と比較して９０°だけ回転されており、電気接点１４８が下方へ向き、かつ塗布箇所１５０が上方へ向いている。
【００６１】
このために送出装置１６０がマガジン１３４の下方に配設された送出ケース１６２を有する。送出ケース１６２の中に歯車１６４が回転軸と共に図平面に対して垂直に回転可能に軸支されている。この歯車１６４は（図示しない）歯車装置を利用して試験装置１１０のヒンジ１１８によって駆動され、反時計回り方向へケース１１２の開放時に回転される。
【００６２】
さらに送出装置１６０は直角に曲げられた輸送アーム１６６を有する。駆動領域１６８で輸送アーム１６６がケース１１２の開放時に図５Ａの歯車１６４を介して右方へ移動されるように、輸送アーム１６６が歯車１６４と共働する。
【００６３】
閉鎖された試験装置１１０のケース１１２を表す図５Ａに示した静止位置において上方に向く輸送アーム１６６の押圧領域１７０はマガジン１３４の下部底部に当接する。上方に向く押圧領域１７０で輸送アーム１６６がピン１７２および曲げられた長穴１７４を介して送出装置１６０の送出ケース１６２で案内されている。
【００６４】
試験装置１１０のケース１１２が多少開放されると直ちに輸送アーム１６６の押圧領域１７０がマガジン１３４の中へ侵入し始める（図５Ｂ〜５Ｅ参照）。ここで押圧領域１７０はそれぞれマガジン１３４の正確に１つのキャビティ１３５に侵入し、正確に１つの試験ストリップ１３６がマガジン１３４から押し出される。このために、たとえばマガジン１３４は各キャビティ１３５の上方および下方で穿孔可能の膜１３８（図３参照、図５Ａ〜５Ｅに図示せず）を有することができる。この膜は試験ストリップ１３６の角部によっておよび／または輸送アーム１６６の押圧領域１７０によって穿刺することができる。ケース１１２が開放されると、輸送アーム１６６が歯車１６４によって駆動領域１６８を介して図５Ａ〜５Ｅで右方へ移動され、それによって押圧領域１７０が上方へマガジン１３４の中へ移動する。ここでマガジン１３４は、送出装置１６０を介して、押圧領域１７０が回転軸１４０の右側へ試験ストリップ１３６に作用するように送出装置１６０を介して保管されている。それによって試験ストリップ１３６が図５Ａ〜５Ｅ記載の図示において反時計回り方向へ回転される。
【００６５】
さらに送出装置１６０は図５Ａ〜５Ｅ記載の本実施例において試験ストリップ１３６の接触用の接点１７６を有する。この接点１３６は試験装置１１０の測定電子回路と接続されている。図示しないこの測定電子回路は、当業者に従来の技術から公知の電気化学測定方法の利用下に試験ストリップ１３６の評価を可能にする。たとえばこの測定電子回路は電流電圧測定またはキャパシタンス測定を実施する電子回路を含むことができる。接点１７６は、この接点１７６が図５Ｅに示した測定箇所で試験ストリップ１３６の電気接点１４８と接触するように送出装置１６０の送出ケース１６２に固定されている。たとえば接点１７６は対応する締付装置を有し、その中に試験ストリップ１３６が送出装置１６０によって、特に輸送アーム１６６によって圧入される。この方法により、確実かつ信頼性のある電気的接触が電気接点１４８と接点１７６とのあいだに構築される。
【００６６】
曲げられた長穴１７４によって輸送アーム１６６の押圧領域１７０は開放（図順５Ａ〜５Ｅ）時に湾曲された軌道たとえば円弧を記載する。ケース１１２の閉鎖時にこの円弧は押圧領域１７０から逆方向へ通過される（図順５Ｅ〜５Ａ）。その際に押圧領域１７０は平坦部１７８と共に試験ストリップ１３６に当接し、その結果、試験ストリップ１３６がケース１１２の閉鎖時に時計回り方向への回転に強制される。それによって試験ストリップ１３６の利用後に利用された試験ストリップ１３６が再び逆に測定箇所（図５Ｅ）から保管位置（図５Ａ）へ移送される。
【００６７】
図５Ａ〜５Ｅに示した送出装置１６０はマガジン１３４から正確に１つの試験ストリップ１３６を送出する機構を提供する。マガジン１３４の一定のキャビティ１３５の下方の送出装置１６０のそれぞれの位置決めに応じてまさに対応するキャビティ１３５にある試験ストリップ１３６が測定箇所（図５Ｅ参照）へ移送される。
【００６８】
ここで試験装置１１０はマガジン１３４の一定のキャビティ１３５の選択を含む機構を含むことができる。この種の選別装置１８０の一例は図６Ａ〜６Ｄに様々な態様で模式的に示されている。ここで図６Ａは閉鎖されたカバー１１６を有する部分透視図を示し、図６Ｂは開放されたカバー１１６を有する部分透視図を示し、図６Ｃは閉鎖されたカバー１１６を有する側面図を示し、図６Ｃは開放されたカバーを有する側面図を示す。図６Ａ〜６Ｃは要約して説明する。
【００６９】
図５Ａ〜５Ｅの上に記載した実施例による送出装置１６０は２本の軸１８２、１８４上に軸支されており、すなわち駆動軸１８２および摺動軸１８４であり、これらは選別装置１８０の構成要素である。駆動軸１８２は送出装置１６０の歯車１６４と連結されており、該歯車を駆動する。摺動軸１８４は送出ケース１６２内で対応する摺動軸孔１８６を貫通し、その結果、送出装置１６０は摺動軸１８４上で摺動することができる。カバー側（つまり図６Ａ〜６Ｄ右側）の送出装置１６０の係止位置はケース下部１１４と固着された係止体１８８が設けられており、該係止体は同時に摺動軸１８４のカバー側端に保持する。摺動軸１８４の反対端は保持部１９０の中に保持される。
【００７０】
さらに選別装置１８０は駆動ユニット１９２を有する。駆動ユニット１９２は該駆動ユニット側に２つの側面保持具１９６に軸支され、かつ軸１８２、１８４に対して垂直に延伸する横軸１９４を有する。横軸１９４上に２つのドラム１９８および平衡輪２００が固定されている。横軸１９４は（図示しない）バネによって予緊張されている。さらに駆動ユニット１９２は解除レバー２０４を備えたロッカー２０２を使用する。この解除レバー２０４は脱連結ボタン１２４（たとえば図１Ａ比較）に連結されている。解除レバー２０４が操作されると、ロッカー２０２が平衡輪２００を短時間解除し、その結果、該平衡輪がバネによって駆動されて、まさに固定装置周り（平衡輪２００上の歯に相当）にさらに移動することができる。
【００７１】
ドラム１９８上に（図示していない）バネ帯が巻き付けられ、このバネ帯が再び送出装置１６０と連結されている。平衡輪２００が回転するとドラム１９８も回転し、それによってバネ帯がドラム上に巻き付けられる。それによって送出装置１６０が運動方向２１２へ、つまり図６Ａ〜６Ｄで左方へ移動する。
【００７２】
平衡輪２００の固定装置あたり、つまり解除レバー２０４の操作あたり１工程だけ一定の送出装置１６０の運動が生じる。送出装置１６０を介して、上述のように、マガジン１３４が配置されている。平衡輪２００およびドラム１９８による変速はこの場合まさに位置決め運動工程がキャビティ１３５だけ前方へ生じるように指定されている。それによって各固定装置で送出装置１６０がキャビティ１３５周りにさらに移送される。
【００７３】
駆動軸１８２はベベルギヤ２０６を介してカバー１１６の歯車伝動装置２０８と連結されている（図６Ｃおよび６Ｄ参照）。歯車伝動装置２０８は再びケース下部１１４に固着されたカバー保持具２１０に軸支されており、その結果、カバー１１６の折り上げ運動がケース下部１１４と相対的に可能になる。同時にカバー１１６はケース下部１１４と相対的に（図示しない）バネによって折り上げ運動の方向へ予緊張される。ケース１１２（図６Ａおよび６Ｃ）の閉鎖状態においてカバー１１６はロック（図示せず）によって固着され、これがカバー１１６の折り上げをそれによって阻止する。脱連結ボタン１２４の操作によって初めてカバー１１６が解除され、バネ力によって駆動されて折り上げることができる。しかしながら、ベベルギヤ２０６を介してカバー１１６の折り上げ時に駆動軸１８２が回転され、これが再び送出装置１６０の歯車１６４を駆動し、それによって輸送アーム１６６を介して試験ストリップ１３６がマガジン１３４から送り出される。
【００７４】
つまり全体的にマガジン１３４からの試験ストリップ１３６の送出過程は後続の工程によって形成されている。利用者はケース１１２の脱連結ボタン１２４を操作する。その際に解除レバー２０４および平衡輪２００を介して送出装置１６０が正確に１つのキャビティ１３５周りにさらに位置決めされる。同時に脱連結ボタン１２４の操作によってカバー１１６が解除され、バネ力によって駆動されて折り上げられる。駆動軸１８２を介してその際に送出装置１６０の歯車１６４が作動され、それによって再び送出装置１６０が輸送アーム１６６を利用して正確に１つの試験ストリップ１３６を図５Ｅに示した塗布−および測定箇所へ移送し、その結果、測定を実施することができる。
【図面の簡単な説明】
【００７５】
【図１Ａ】閉鎖状態における本発明に係る試験装置の第１の好ましい実施例である。
【図１Ｂ】開放中の図１Ａ記載の試験装置である。
【図１Ｃ】開放状態における図１Ａ記載の試験装置である。
【図２Ａ】閉鎖状態における試験装置の第２の実施例である。
【図２Ｂ】開放状態における図２Ａ記載の試験装置である。
【図３】本発明に係る試験装置に使用する試験ストリップマガジンの一実施例である。
【図４Ａ】本発明に係る試験ストリップの第１の実施例である。
【図４Ｂ】本発明に係る試験ストリップの第２の実施例である。
【図５Ａ】試験装置の開放時の１つの保管位置から１つの測定箇所への試験ストリップの移送の模式的方法経過の実施例である。
【図５Ｂ】試験装置の開放時の１つの保管位置から１つの測定箇所への試験ストリップの移送の模式的方法経過の実施例である。
【図５Ｃ】試験装置の開放時の１つの保管位置から１つの測定箇所への試験ストリップの移送の模式的方法経過の実施例である。
【図５Ｄ】試験装置の開放時の１つの保管位置から１つの測定箇所への試験ストリップの移送の模式的方法経過の実施例である。
【図５Ｅ】試験装置の開放時の１つの保管位置から１つの測定箇所への試験ストリップの移送の模式的方法経過の実施例である。
【図６Ａ】マガジンから試験ストリップを選別する選別装置の実施例である。
【図６Ｂ】マガジンから試験ストリップを選別する選別装置の実施例である。
【図６Ｃ】マガジンから試験ストリップを選別する選別装置の実施例である。
【図６Ｄ】マガジンから試験ストリップを選別する選別装置の実施例である。
【符号の説明】
【００７６】
１１０  試験装置
１１２  ケース
１１４  ケース下部
１１６  カバー
１１８  ヒンジ
１２０  分離継目
１２２  操作段
１２４  脱連結ボタン
１２６  操作表面
１２８  測定表面
１３０  ディスプレイ
１３２  操作ボタン
１３４  マガジン
１３５  キャビティ
１３６  試験ストリップ
１３８  封止フィルム
１４０  回転軸
１４２  試験ストリップ縁部
１４４  孔
１４６  切欠
１４８  電気接点
１５０  塗布箇所
１５２  毛細管システム
１５４  測定電極
１５６  カバー内側
１５８  血液滴
１６０  送出装置
１６２  送出ケース
１６４  歯車
１６６  輸送アーム
１６８  駆動領域
１７０  押圧領域
１７２  ガイドピン
１７４  曲げられた長穴
１７６  接点
１７８  平坦部
１８０  選別装置
１８２  駆動軸
１８４  摺動軸
１８６  摺動軸孔
１８８  係止体
１９０  保持部
１９２  駆動ユニット
１９４  横軸
１９６  側面保持具
１９８  ドラム
２００  平衡輪
２０２  ロッカー
２０４  解除レバー
２０６  ベベルギヤ
２０８  歯車伝動装置
２１０  カバー保持具
２１２  運動方向
【図１Ａ】
2008544266.tif 000003
【図１Ｂ】
2008544266.tif 000004
【図１Ｃ】
2008544266.tif 000005
【図２Ａ】
2008544266.tif 000006
【図２Ｂ】
2008544266.tif 000007
【図３】
2008544266.tif 000008
【図４Ａ】
2008544266.tif 000009
【図４Ｂ】
2008544266.tif 000010
【図５Ａ】
2008544266.tif 000011
【図５Ｂ】
2008544266.tif 000012
【図５Ｃ】
2008544266.tif 000013
【図５Ｄ】
2008544266.tif 000014
【図５Ｅ】
2008544266.tif 000015
【図６Ａ】
2008544266.tif 000016
【図６Ｂ】
2008544266.tif 000017
【図６Ｃ】
2008544266.tif 000018
【図６Ｄ】
2008544266.tif 000019
【国際調査報告】
2008544266.tif 000020
2008544266.tif 000021
2008544266.tif 000022
2008544266.tif 000023